(57)【要約】【課題】  単一の投影装置からの投影された投影光を比較的範囲の狭い少なくとも２つの観察領域に集中的に拡散させて両眼で、あるは、２人以上の観察者が同じ映像を同時に観察可能にする投影スクリーンと投影型表示装置。【解決手段】  複数のフレネル凹面鏡２Ｌ、２Ｒが相互に偏心して同一基板上に重畳して設けられてなり、その投影スクリーン１の投影光入射側あるいは反射側に拡散板が配置されている投影スクリーン。【選択図】        図１
2005062312.tif 000002
【特許請求の範囲】
【請求項１】
複数のフレネル凹面鏡が相互に偏心して同一基板上に重畳して設けられてなることを特徴とする投影スクリーン。
【請求項２】
前記投影スクリーンの投影光入射側あるいは反射側に拡散板が配置されていることを特徴とする請求項１記載の投影スクリーン。
【請求項３】
前記拡散板が透過型ホログラムからなる拡散板であることを特徴とする請求項２記載の投影スクリーン。
【請求項４】
映像を表示する表示素子と、前記表示素子に表示された映像を拡大投影する投影光学系と、前記投影光学系により投影された投影像近傍に配置された投影スクリーンとからなる投影型表示装置において、
前記投影スクリーンが請求項１から３の何れか１項記載の投影スクリーンからなることを特徴とする投影型表示装置。
【発明の詳細な説明】
【技術分野】
【０００１】
本発明は投影スクリーン及び投影型表示装置に関し、特に、投影スクリーンに投影された１つの映像を同時に異なる２つ以上の方向から観察することができる投影型表示装置とそのための投影スクリーンに関すものである。
【背景技術】
【０００２】
従来、１つの投影装置から投影された映像を同時に異なる複数の方向から観察可能にするために拡散角の大きな投影スクリーンを用いて広い範囲に投影光を拡散させ、その範囲内に異なる観察者や両眼を位置させてそれぞれに投影像が観察可能にするのが一般的である。
【特許文献１】特開２００３−１７７２２１号公報
【特許文献２】特開平９−１２７３１２号公報
【特許文献３】特開２０００−１７１６１８号公報
【発明の開示】
【発明が解決しようとする課題】
【０００３】
しかしながら、拡散角の大きな投影スクリーンを用いると、単一の投影装置からの投影光は広い範囲に拡散されるため、個々の位置で明るい映像を観察可能にするには投影装置に強力な照明光源を用いなければならず、その結果、投影装置の大型化と大消費電力が避けられない。
【０００４】
本発明は従来技術のこのような問題点に鑑みてなされたものであり、その目的は、単一の投影装置からの投影された投影光を比較的範囲の狭い少なくとも２つの観察領域に集中的に拡散させて両眼で、あるは、２人以上の観察者が同じ映像を同時に観察可能にする投影スクリーンと投影型表示装置を提供することである。
【課題を解決するための手段】
【０００５】
上記目的を達成する本発明の投影スクリーンは、複数のフレネル凹面鏡が相互に偏心して同一基板上に重畳して設けられてなることを特徴とするものである。
【０００６】
この場合に、投影スクリーンの投影光入射側あるいは反射側に拡散板が配置されていることが望ましい。
【０００７】
その拡散板としては、透過型ホログラムからなる拡散板を用いるのが望ましい。
【０００８】
本発明は、映像を表示する表示素子と、前記表示素子に表示された映像を拡大投影する投影光学系と、前記投影光学系により投影された投影像近傍に配置された投影スクリーンとからなる投影型表示装置において、前記投影スクリーンが以上の何れかの投影スクリーンからなることを特徴とする投影型表示装置を含むものである。
【発明の効果】
【０００９】
本発明の投影スクリーンにおいては、複数のフレネル凹面鏡が相互に偏心して同一基板上に重畳して設けられてなるので、単一の投影装置からの投影された投影光を比較的範囲の狭い少なくとも２つの観察領域に集中的に向かわせて、両眼で、あるは、２人以上の観察者が同じ映像を同時に観察可能になる。
【発明を実施するための最良の形態】
【００１０】
図１、図２に本発明の投影型表示装置と投影スクリーンの概念図を示す。ただし、図１はその投影型表示装置と投影スクリーンの斜視図、図２は図１の水平方向の光路図である。この投影型表示装置は、内部に映像を表示する表示素子と、その表示素子に表示された映像を拡大投影する投影光学系１１とを備えた投影装置１０と、投影装置１０の投影光学系１１により投影された投影像近傍に配置された投影スクリーン１とからなる投影型表示装置であって、この図の場合、投影スクリーン１は反射型スクリーンからなる。
【００１１】
投影スクリーン１は、投影光学系１１で投影された映像近傍に配置された拡散板３と、投影光学系１１の瞳を入射瞳１３としてその入射瞳１３を１つの観察方向、図の場合は観察者左眼ＥＬ近傍の１つの射出瞳２０Ｌに投影する一方のフレネル凹面鏡２Ｌと、同じ入射瞳１３を他の観察方向、図の場合は観察者右眼ＥＲ近傍の他の射出瞳２０Ｒに投影する他方のフレネル凹面鏡２Ｒとからなる。拡散板３は、フレネル凹面鏡２Ｌ、２Ｒと密着するかその近傍に配置される。
【００１２】
図２では、フレネル凹面鏡２Ｌと２Ｒはそれぞれの中心ＯＬ、ＯＲが相互に偏心した凹面鏡として図示してあるが、実際には、同一基板に円錐輪帯状の反射面をそれぞれ中心ＯＬ、ＯＲに同心に連結してなる平面状のもので、後で説明するするように、２つのフレネル凹面鏡２Ｌと２Ｒは同一面上に同時に重畳して存在し、投影光学系１１の瞳を入射瞳１３としてその入射瞳１３から投影スクリーン１の一点近傍に入射した光束は、２つのフレネル凹面鏡２Ｌ、２Ｒにより同時に異なる方向に反射され、それぞれ射出瞳２０Ｌ、２０Ｒに別れて入射する。
【００１３】
したがって、射出瞳２０Ｌと２０Ｒに観察者が左眼ＥＬと右眼ＥＲを位置させることにより投影装置１０に表示された映像を両眼で同時に観察できる。
【００１４】
ここで、本発明の投影スクリーン１では、投影装置１０による投影像近傍に共通の単一の拡散板３を配置している。そして、その拡散板３に狭い拡散特性を持たせている。これにより、図１に示すように、射出瞳２０Ｌ、２０Ｒの瞳径が小さい場合であっても、観察しやすい大きさの拡大射出瞳２０Ｌ’、２０Ｒ’に拡大することが可能となる。この結果、観察者の眼ＥＬ、ＥＲの位置が射出瞳２０Ｌ、２０Ｒの位置から多少ずれても、拡大射出瞳２０Ｌ’、２０Ｒ’から外れない限り、投影像を観察することが可能になる。すなわち、観察しやすい投影型表示装置を提供することが可能となる。また、投影装置１０からの投影光はこの２つの拡大射出瞳２０Ｌ’、２０Ｒ’に集中して入射するため、照明光を無駄なく投影に利用できるため、照明光源として低電力のものを用いても明るい映像が観察可能な投影型表示装置が得られる。
【００１５】
なお、以上では、フレネル凹面鏡２Ｌ、２Ｒを用いるものとしたが、フレネル凸レンズとその背面に配置した反射鏡を用いてもよい。また、以上では、投影スクリーン１を反射型スクリーンとしたが、透過型スクリーンとして構成してもよい。その場合は、フレネル凹面鏡２Ｌ、２Ｒの代わりに相互に偏心したフレネル凸レンズとして構成すればよい。この場合の拡散板３の作用は反射型スクリーンと同じである。また、フレネル凹面鏡２Ｌ、２Ｒあるいはフレネル凸レンズは相互に偏心した３つ以上のフレネル凹面鏡あるいはフレネル凸レンズとしてもよい。その場合は、１つの入射瞳１３の像である射出瞳２０Ｌ、２０Ｒが３個以上形成され、それに伴って拡大射出瞳２０Ｌ’、２０Ｒ’も３個以上形成され、異なる３方向以上から同一の映像を同時に観察することが可能となる。
【００１６】
ここで、複数のフレネル凹面鏡又はフレネル凸レンズが相互に偏心して同一基板上に重畳して設けられている場合に、その一点近傍に入射した光束はそれぞれのフレネル凹面鏡又はフレネル凸レンズにより反射作用あるいは屈折作用を同時に受けて異なる複数の方向へ別れて進むことを説明する。図３は、フレネル凹面鏡又はフレネル凸レンズを構成する基板５０の表面にバイト５１を用いて第１のフレネル凹面鏡又はフレネル凸レンズの作用面Ａと非作用面Ａ’とからなる溝（畝）をミクロには略平行に刻んでいく様子を示している。通常、フレネル凹面鏡やフレネル凸レンズの作用面Ａは基板５０の表面に対して比較的大きく傾斜しており、非作用面Ａ’は基板５０の表面に対して略垂直に形成される。図４は、第１のフレネル凹面鏡又はフレネル凸レンズの溝（畝）を刻んだ後に、第２のフレネル凹面鏡又はフレネル凸レンズの作用面Ｂと非作用面Ｂ’とからなる溝（畝）をミクロには略平行に刻んでいく様子を示している。この第１のフレネル凹面鏡又はフレネル凸レンズの溝（畝）と第２のフレネル凹面鏡又はフレネル凸レンズの溝（畝）とは、図４に示すようにほとんどの領域で交差している。第２のフレネル凹面鏡又はフレネル凸レンズの溝（畝）を複数刻むと、図５（ａ）に示すように、４つの面Ａ、Ｂ、Ａ’、Ｂ’で囲まれる四角錐の集合が基板５０の表面に並列に形成される。その平面図を図５（ｂ）に示す。非作用面Ａ’、非作用面Ｂ’は光束の入射側から見ると、線に見えるので、第１のフレネル凹面鏡又はフレネル凸レンズの作用面Ａと第２のフレネル凹面鏡又はフレネル凸レンズの作用面Ｂとが図示のように２次元方向へ交互に密に並んでいるものとなるため、基板の一点（厳密には、ある程度の面積を有する領域）に入射した光束は、面積分割により、作用面Ａに入射した成分は第１のフレネル凹面鏡又はフレネル凸レンズの作用を受け、作用面Ｂに入射した成分は第２のフレネル凹面鏡又はフレネル凸レンズの作用を受けるので、結果的に、第１のフレネル凹面鏡又はフレネル凸レンズによる反射作用あるいは屈折作用と第２のフレネル凹面鏡又はフレネル凸レンズによる反射作用あるいは屈折作用とを同時に受けて異なる２つの方向へ別れて進むことになり、図１、図２で説明したように、投影光学系１１の瞳（入射瞳１３）から投影スクリーン１の各点近傍に入射した光束は、２つのフレネル凹面鏡２Ｌ、２Ｒにより同時に異なる方向に反射され、それぞれ射出瞳２０Ｌ、２０Ｒに別れて略同じ光量で入射することになり、略同じ明るさの投影像が同時に観察可能になる。なお、以上の説明は２つのフレネル凹面鏡又はフレネル凸レンズが相互に偏心して同一基板上に重畳して設けられている場合であったが、３つ以上の場合でも同様に説明できる。
【００１７】
ここで、拡散板３としては、拡散特性に指向性のある微細な凹凸面又は粗面からなるものが用いられる。その場合の拡散板３の拡散角は、半値全幅で２０°以下であることが好ましい。拡散板３の拡散角が半値全幅で２０°を越えると、拡散角が大きくなりすぎる。この場合、観察視域は広がるが、観察像の明るさが暗くなり、観察物体を照明する照明装置が大掛かりになってしまう。さらに好ましくは、拡散板３の拡散角は、半値全幅で１０°以上あるのが好ましい。
【００１８】
さて、以上のような条件を満足する拡散板３としては、特許文献１の作製方法で作製した拡散板が使用可能である。その拡散板としては、以下のものがある。
（１）サンドブラスト法により粒径が制限された球形ビーズを吹き付けて形成されたランダム配置の凹面群あるいはその凹面群に相似的な凹面群、又は、これら凹面群に相補的な凸面群を有する拡散板。
（２）金属基板に球形ビーズを吹き付けて形成されたランダム配置の凹面群を型として透明基板に複製することにより作製された（１）の拡散板。
（３）金属基板上に形成した加工層に球形ビーズを吹き付けて形成されたランダム配置の凹面群を金属基板表面に相似的に転写して形成されたランダム配置の凹面群を型として透明基板に複製することにより作製された（１）の拡散板。
（４）前記球形ビーズの粒径が０．０１ｍｍから２ｍｍのガラスビーズからなる（１）から（３）の拡散板。
（５）前記球形ビーズを吹き付ける空気圧が０．５〜３．０ｋｇ／ｃｍ2 である（４）の拡散板。
（６）前記金属基板が真鍮からなる（２）、（４）、（５）の拡散板。
（７）前記金属基板が前記球形ビーズより硬度の高い金属からなる（３）、（４）、（５）の拡散板。
（８）前記金属基板の表面に形成された凹面群を射出成形あるいはプレス成形により透明基板に複製した（２）〜（７）の拡散板。
（９）基板上に樹脂の液滴を噴霧して付着させることにより形成されたランダム配置の凸面群を基板表面に相似的に転写して形成されたランダム配置の凸面群、又は、その凸面群に相補的な凹面群を有する拡散板。
【００１９】
さらに、特許文献２に記載されている拡散板を使うことができる。この拡散板は、透明基体の片面又は両面を粗面化して作製したものである。透明基体の片面又は両面を粗面化する方法としては、例えば以下の（１）〜（４）の方法がある。（１）透明基体の片面又は両面をエッチング処理する方法、（２）樹脂にフィラーを、必要に応じて、水や有機溶剤と共に分散した塗料又はインクをコーティングや印刷を行うことにより、透明基体の片面若しくは両面上に単層又は多層に分けて設ける方法、（３）樹脂やフィラー単体又はこの混合物からなる粉体を静電粉体コーティングや粉体電着コーティングにより、透明基体の片面又は両面に設ける方法、（４）有機又は無機のフィラーを樹脂と共に、熱と圧力を加えることにより溶融し、この溶融物を押し出し成形や射出成形等によりフィルム化して成形する方法。この場合に、この拡散板のＨＡＺＥ値（ＪＩＳＫ７１０５）が、１０〜４０の範囲にあることが好ましい。
【００２０】
また、特許文献３で作製した拡散板を使うこともできる。この拡散板を作製する方法は、基体上に直接又は他の層を介して結着層を積層する工程と、フィラーを加圧媒体によって結着層に埋め込む工程と、その工程で得た積層体に付着した余剰フィラーを除去する工程とを具備している。
【００２１】
また、拡散板３として、ホログラムからなる拡散板を本発明の投影スクリーン１に用いてもよい。ホログラムからなる拡散板としては、透過型ホログラムと反射型ホログラムとが考えられる。ここで、体積型感光材料中に記録されたホログラムの場合、透過型ホログラムは波長選択性が低く、反射型ホログラムは波長選択性が高い。カラー像を表示する投影型表示装置に用いる場合には、Ｒ（赤色）、Ｇ（緑色）、Ｂ（青色）３波長の光を拡散させるめに３つのホログラム干渉縞を多重記録する必要があるため、ホログラムとしては波長選択性が比較的低い透過型ホログラムを用いる方が望ましい。そして、投影型表示装置を小型に構成するには、フレネル凹面鏡又はフレネル凸レンズとこの透過型ホログラムからなる拡散板と組み合わせて構成することが望ましい。以下、簡単のため、このような透過型ホログラムからなる拡散板３’と１つだけのフレネル凹面鏡２とから投影スクリーンを構成する場合について説明するが、実際には、図１、図２と同様に、相互に偏心配置された左右２つあるいはそれ以上のフレネル凹面鏡２Ｌ、２Ｒの入射側に密着するかその近傍に透過型ホログラムからなる拡散板３’が配置される。
【００２２】
図６（ａ）に、その場合の投影型表示装置の光学系の概念図を、また、図６（ｂ）に、その投影型表示装置の配置例を示す。なお、図６（ａ）において、フレネル凹面鏡２は凹面鏡として図示されており、また、投影装置１０中の表示素子、照明光源等は図示が省かれている。図６（ｂ）では、表示素子に表示された映像は、投影光学系１１で拡大投影される。そして、その投影像近傍には透過型ホログラムからなる拡散板３’とフレネル凹面鏡２とが配置されている。フレネル凹面鏡２は投影光学系１１の瞳１３の像である射出瞳２０を所定の位置に形成する。この所定の位置は、観察者Ｍの眼球Ｅと略一致している。投影光学系１１のフレネル凹面鏡２により形成された射出瞳２０は、拡散板３’によって観察しやすい大きさの拡大射出瞳２０’に拡大される。これにより、観察者Ｍの眼Ｅの位置が射出瞳２０の位置から多少ずれても、投影像を観察像として観察することが可能になる。この結果、図１、図２を用いて説明したように、投影装置１０に表示された映像を複数の位置で同時に観察でき、観察しやすい投影型表示装置が得られる。
【００２３】
ここで、透過型ホログラムからなる拡散板３’の特徴は、図６（ａ）に示すように、この拡散板３’はフレネル凹面鏡２の入射側に配置されるため、投影光学系１１から拡大射出瞳２０’の位置に至る光線は、透過型ホログラム３’を往復で計２回透過する点にある。このような特徴を有するため、光は透過型ホログラム３’で２度回折されることになる。このことを踏まえて、本発明では１回目（フレネル凹面鏡２に入射する前）の透過型ホログラム３’を透過する角度と、２回目（フレネル凹面鏡２に入射した後）の透過型ホログラム３’を透過する角度とを積極的に異ならせて、そのホログラムの角度選択性により何れか一方での回折を避けるようにしている。そのための配置については、後記する。
【００２４】
そして、透過型ホログラムからなる拡散板３’は上記の拡散板３と同様に、その拡散角が、同様の理由で半値全幅で２０°以下であることが好ましい。さらに好ましくは、拡散板３’の拡散角は、半値全幅で１０°以上あるのが好ましい。
【００２５】
次に、透過型ホログラムからなる拡散板３’の屈曲作用と波長分散の関係、フレネル凹面鏡２と透過型ホログラムからなる拡散板３’の配置関係について説明する。透過型ホログラムからなる拡散板３’は、参照光と拡散光源（２次光源）からの物体光との干渉記録によって作製される。このとき、参照光と物体光が同軸（インライン）配置での記録であると、図７（ａ）に示したように、投影光学系１１からの軸上主光線１６は、拡散板３’に１回目の入射をして拡散板３’で屈曲されずに直通する。そして、拡散板３’を直通した主光線は、フレネル凹面鏡２で反射されて方向を変え、拡散板３’を裏面側から入射して拡散板３’を直通する。この際、１回目の入射の際に入射光の入射角度が、透過型ホログラム（拡散板３’）の再生光入射角度（回折効率がピーク近傍になる角度）を満足していれば、１回目の透過の際に直通する主光線の周りに回折による拡散光が分布し、２回目の透過の際にはその拡散光はほとんど直通する。一方、２回目の入射の際に入射光の入射角度が、再生光入射角度を満足していれば、１回目の透過の際には軸上主光線１６は回折されずにほとんど直通し、２回目の透過の際に直通する主光線の周りに回折による拡散光が分布する。何れの場合も、０次光１７0 と主光線１７1 は同じ方向に進む。図７（ａ）はこの様子を示したものであり、拡散光は図示していない。この図では、拡散板３’で回折されない０次光１７0 と回折された拡散光中の主光線（中心光線）１７1 のみを図示してあり、０次光１７0 と主光線１７1 は同じ方向に進み、拡大射出瞳２０’の中心に達する。したがって、図７（ａ）に示すように、透過型ホログラムからなる拡散板３’が拡散作用のみで、光路の屈曲作用を持たない場合は、拡散光だけでなく回折により拡散されない０次光１７0 が拡大射出瞳２０’に達する。その結果、観察される映像中心に０次光１７0 のスポットが見えることになり望ましくない。
【００２６】
そこで、透過型ホログラムからなる拡散板３’として、参照光と物体光が相互に同軸でないオフライン配置の関係で記録したものを用いる。このようなオフライン配置で記録した拡散板３’は、再生光入射角度を満足して回折する場合に光線の屈曲と共に波長分散が生じる。その屈曲方向によって図７（ｂ）、（ｃ）のような光路と、図８（ａ）、（ｂ）のような光路とをとる。ただし、図７（ｂ）、（ｃ）は拡散板３’の再生光入射角度条件が１回目の入射の際に満足する場合であり、図８（ａ）、（ｂ）は２回目の入射の際に満足する場合である。図７（ｂ）、図８（ａ）は、拡散板３’の屈曲方向が法線に対する入射角に対して回折角が小さくなる方向の場合であり、図７（ｃ）、図８（ｂ）は、入射角に対して回折角が大きくなる方向の場合である。各図中、拡散光の図示は省き、拡散板３’で回折して屈曲されたＲ、Ｇ、Ｂの波長の主光線（中心光線）をそれぞれ１７R 、１７G 、１７B で示してある。各図から明らかなように、拡散板３’のとして光線の屈曲作用を持つ透過型ホログラムを用いると、ホログラムで回折されない０次光１７0 を回折光１７R 、１７G 、１７B から分離できる。その結果、拡大射出瞳２０’に入射しないように構成可能になる。具体的には、拡大射出瞳２０’の位置で、拡大射出瞳２０’の中心からその瞳径の２分の１以上離れて０次光１７0 が入射するように構成することが望ましい。
【００２７】
なお、透過型ホログラムでの屈曲角（偏角）を上記入射角と回折角の差の絶対値γで定義し、かつ、その屈曲角をｄ線（波長５８７．６ｎｍ）で測るとした場合、屈曲角γが小さすぎると、上記のように観察像中に０次光が入射する。逆に、大きすぎると、波長分散が大きくなりすぎて拡大射出瞳２０’でＲ、Ｇ、Ｂの３波長が重なる範囲、すなわち色再現性良く観察できる射出瞳範囲が小さくなりすぎてしまう。
【００２８】
したがって、透過型ホログラムからなる拡散板３’のｄ線での屈曲角（偏角）γは、
γ＞１°                                                      ・・・（１）
の関係を満たす必要がある。
【００２９】
さらに好ましくは、
γ＞２°                                                  ・・・（１−１）
なる条件を満足することが好ましい。
【００３０】
さらに好ましくは、
γ＞１０°                                                ・・・（１−２）
なる条件を満足することが望ましい。
【００３１】
また、
γ＜４５°                                                    ・・・（２）
の関係を満たす必要がある。
【００３２】
さらに好ましくは、
γ＜２０°                                                ・・・（２−１）
なる条件を満足することが好ましい。
【００３３】
上記の条件（１−２）と（２−１）を組み合わせると、次の条件（３）となる。
【００３４】
１０°＜γ＜２０°                                            ・・・（３）
この条件（３）についてさらに説明する。この条件の下限の１０°を下回ると、０次光と表示像を観察可能にする正規観察光との分離が少なくなる。そのため、観察者が僅かに頭を動かすと、０次光が眼に入ってまぶしくなることが多くなる。また、この条件の上限の２０°を越えると、透過型ホログラム３’による色分散が大きくなり、その結果観察範囲が狭くなってしまう。
【００３５】
さらに、Ｒを７００ｎｍの波長の光、Ｂを４００ｎｍの波長の光としたとき、回折光１７R と１７B の間の回折角の差は、小さい程望ましい。具体的には、１８°以下であることが、上記のように色再現性良く観察できる射出瞳範囲が小さくなりすぎないために必要である。また、拡大射出瞳２０’の位置では、Ｒを７００ｎｍの波長の光、Ｂを４００ｎｍの波長の光としたとき、回折光１７R と１７B の間の入射位置の差も小さい程望ましい。具体的には、拡大射出瞳２０’の瞳径の２分の１以下であるように構成することが望ましい。
【００３６】
ところで、図７、図８においては、投影光学系１１からの軸上主光線１６あるいは０次光１７0 はフレネル凹面鏡２に斜め（フレネル凹面鏡２の入射位置での鏡面の法線に対して角度βをなす。）に入射することを考えていた。ここで、軸上主光線１６あるいは０次光１７0 がフレネル凹面鏡２の鏡面に略直角（β≒０°）に入射すると、拡散板３’を２度通過した後にホログラムから射出する主光線１７R 、１７G 、１７B は軸上主光線１６と略反対方向に向かう。そのため、拡大射出瞳２０’の位置と投影光学系１１が干渉することになる。そこで、フレネル凹面鏡２に入射する投影光学系１１からの軸上主光線１６又はその０次光１７0 のフレネル凹面鏡２の鏡面への入射角βは、
０°＜β＜４５°                                              ・・・（４）
の関係を満たすことが望ましい。
【００３７】
さらに好ましくは、
５°＜β＜２０°                                          ・・・（４−１）
なる条件を満足することが好ましい。
【００３８】
この条件（４−１）についてさらに説明する。この条件の下限の５°を上回ると、フレネル凹面鏡２の偏心量が小さくなる。そのため、拡散板３’で共役再生が起こり、表示像観察に利用可能な光量が低下する。また、この条件の上限の２０°を越えると、フレネル凹面鏡２の偏心量が大きくなりすぎる。そのため、投影される瞳収差が大きくなり、均一な明るさの像を観察することが困難になってしまう。
【００３９】
また、図７、図８においては、投影光学系１１からの軸上主光線１６が透過型ホログラムからなる拡散板３’及びその裏面側のフレネル凹面鏡２に入射する位置は、それぞれの略中心で、拡散板３’とフレネル凹面鏡２の間には偏心はないものとした。その場合、図７、図８から明らかなように、拡散板３’を２度通過した投影光（回折光）１７R 、１７G 、１７B は拡散板３’に対して角度をなしており、拡大射出瞳２０’は拡散板３’の正面には位置せず斜め方向から投影された映像を見ることになり、観察される像はアオリ像となって像歪みが発生する。そこで、図９（ａ）〜（ｃ）に示すように、フレネル凹面鏡２を拡散板３’に対して偏心させて（何れの図も上方へ偏心させている。）、フレネル凹面鏡２で反射された主光線１７R 、１７G 、１７B が拡散板３’を２度目に通過して拡散板３’に対して略直角をなすようにしている。なお、図９（ａ）〜（ｃ）はそれぞれ図７（ａ）〜（ｃ）に対応する場合である。
【００４０】
なお、投影光学系１１からの拡散板３’上に斜め方向から投影像を入射させるので、拡散板３’上での投影像もアオリ像となって像歪みが発生する。そのため、投影光学系１１はこのようなアオリ像の像歪みを補正する機能を持ったものと使用するのが望ましい。
【００４１】
また、拡大射出瞳２０’を拡散板３’の正面（実際には、拡大射出瞳２０’は図１、図２に示すように複数形成するようにするので、側面図で見て正面）に位置するようにし、かつ、投影光学系１１からの軸上主光線１６あるいは０次光１７0 はフレネル凹面鏡２に斜めに入射するようにすることにより、拡散板３’に入射する投影光学系１１からの投影光がその表面で反射してノイズ光になる表面正反射光を拡大射出瞳２０’に入射させないようにする効果も得られる。
【００４２】
なお、上記の屈曲角（偏角）γとフレネル凹面鏡２の鏡面への入射角βの比γ／βは、
０．０１＜γ／β＜１０００                                    ・・・（５）
の関係を満たすことが望ましい。
【００４３】
さらに好ましくは、
０．５＜γ／β＜２                                        ・・・（５−１）
なる条件を満足することが好ましい。
【００４４】
この条件（５−１）についてさらに説明する。この条件の下限の０．５を下回ると、透過型ホログラム３’の屈曲角が小さくなる。そのため、透過型ホログラム３’で回折しない０次光が拡大射出瞳２０’に入射してしまい、観察像にスポットフレアーがのることになる。また、上限の２を越えると、フレネル凹面鏡２の偏心量が比較的小さくなる。この場合、透過型ホログラム３’に入射した後、フレネル凹面鏡２で反射してから、透過型ホログラム３’の裏面で極僅かではあるがフレネル反射により反射され、再度フレネル凹面鏡２で反射する光線が存在する。そして、その光線が拡大射出瞳２０’に入射してしまう。この光線もスポットフレアーとして観察されてしまうので、好ましくない。
【００４５】
さらに好ましくは、
１＜γ／β＜１．５                                        ・・・（５−２）
なる条件を満足することが、スポットフレアーの点でより好ましい。
【００４６】
ところで、透過型ホログラムからなる拡散板３’を用いる場合は、投影装置１０中の表示素子を照明する光源は、単色性の高いＬＥＤやＬＤをＲＧＢ３色組み合わせてなる光源を用いることが望ましい。
【００４７】
次に、投影光学系１１の瞳１３を拡大投影するフレネル凹面鏡２Ｌ、２Ｒと透過型ホログラムからなる拡散板３’の組み合わせからなる投影スクリーン１の実施例１について説明する。この実施例において、光線追跡は、投影光学系１１の瞳１３を物体面とし、拡大射出瞳２０Ｌ’、２０Ｒ’を像面とし、投影光学系１１の瞳１３の中心から拡大射出瞳２０Ｌ’、２０Ｒ’までの順光線追跡で行っている。
【００４８】
実施例１のＸ−Ｚ面への投影光路図を図１０に、Ｙ−Ｚ面への投影光路図を図１１に示す。また、図１２にこの実施例の拡散板３’に用いる透過型ホログラムの撮影配置を示す。そして、図１３にこの実施例における拡大射出瞳２０Ｌ’（２０Ｒ’）位置での波長４５０ｎｍ、波長５５０ｎｍ、波長６５０ｎｍでの射出瞳像の重なり具合と、０次光及び表面反射光の入射位置を示す。なお、図１２、図１３中の数字はｍｍ単位である。
【００４９】
実施例１は、図７（ｃ）（図９（ｃ））に対応して再生光入射角度条件が１回目の入射の際に満足し、２回目には回折せず、かつ、拡散板３’の屈曲方向が法線に対する入射角に対して回折角が大きくなる方向の場合の例ある。また、フレネル凹面鏡２Ｌ、２Ｒはフレネル裏面鏡で構成されており、そのフレネル裏面鏡のＸ方向、Ｙ方向への偏心量をＭＸ、ＭＹ、軸上主光線３０（３０Ｌ、３０Ｒ）の透過型ホログラム３’による偏角量をγ、フレネル凹面鏡２Ｌ、２Ｒの鏡面への入射角をβとするとすると、
ＭＸ＝２０ｍｍ（フレネル凹面鏡２Ｌ）、−２０ｍｍ（フレネル凹面鏡２Ｒ）
ＭＹ＝１５７．２３ｍｍ
γ＝１５．００°（屈折率１．４９２４の硝材中で）
β＝１２．５７°（屈折率１．４９２４の硝材中で）
である。
【００５０】
また、この実施例の透過型ホログラム３’の露光条件は、図１２（ａ）中に示す通り、露光の際の座標系を透過型ホログラム３’の面の軸上主光線３０（３０Ｌ、３０Ｒ）の入射点を原点にして、ホログラム面をＸ−Ｙ面とし、投影光学系１１の瞳１３から離れる方向をＺ軸とするとき、ホログラムの寸法を、図１２（ｂ）に示すように、縦×横を１９０ｍｍ×２５０ｍｍのものを用い、露光のための第１光源位置（Ｘ１，Ｙ１，Ｚ１）は以下の通りであり、点光源とする。
【００５１】
（Ｘ１，Ｙ１，Ｚ１）＝（０，２９７．１１，−５７８．１２）
また、第２光源中心位置（Ｘ２，Ｙ２，Ｚ２）は以下の通りであり、図１２（ｃ）に示すように、縦×横が１４４．４４ｍｍ×８６．６７ｍｍの面積を持つ拡散面光源とする。
【００５２】
（Ｘ２，Ｙ２，Ｚ２）＝（０，４３５．３２，−４８２．７２）
以上の露光条件で作製した透過型ホログラムを拡散板３’として使用することにより、拡散板３’により拡散された光束は、フレネル凹面鏡２Ｌ、２Ｒ反射された後、図１３に一方の拡大射出瞳を示すように、観察者瞳面で色再現性良く観察できる射出瞳範囲が縦×横が６０ｍｍ×６０ｍｍの正方形で、Ｘ方向への偏心量が以下のＰＸの拡大射出瞳２０Ｌ’、２０Ｒ’となり、それらの中にφ６０の円形瞳が可能になる。この実施例の瞳の色収差（波長４５０ｎｍの射出瞳像と波長６５０ｎｍの射出瞳像とのズレ）は４０ｍｍとなる。
【００５３】
ＰＸ＝３４．８７ｍｍ（拡大射出瞳２０Ｌ’）、
−３４．８７ｍｍ（拡大射出瞳２０Ｒ’）
以下に、上記実施例１の構成パラメータを示す。上記のように、実施例１においては、軸上主光線３０Ｌ、３０Ｒを、投影光学系１１の瞳１３の中心を出て透過型ホログラムからなる拡散板３’の中心を通り拡大射出瞳２０Ｌ’、２０Ｒ’中心に至る光線で定義する。
【００５４】
そして、実施例１においては、順光線追跡において、投影光学系１１の瞳１３の中心を原点とし、瞳面をＸ−Ｙ面とし、フレネル凹面鏡２Ｌ、２Ｒの中心ＯＬ、ＯＲを結ぶ方向をＸ軸方向とし、ＯＲからＯＬに至る方向をＸ軸正方向とし、瞳に垂直な軸上主光線３０Ｌ、３０Ｒの進行方向をＺ軸正方向としている。
【００５５】
そして、偏心面については、光学系の原点からその面の面頂位置の偏心量（Ｘ軸方向、Ｙ軸方向、Ｚ軸方向をそれぞれＸ，Ｙ，Ｚ）と、その面の中心軸（非球面については、下記（ａ）式のＺ軸）のＸ軸、Ｙ軸、Ｚ軸それぞれを中心とする傾き角（それぞれα，β，γ（°））とが与えられている。その場合、αとβの正はそれぞれの軸の正方向に対して反時計回りを、γの正はＺ軸の正方向に対して時計回りを意味する。なお、面の中心軸のα，β，γの回転のさせ方は、面の中心軸とそのＸＹＺ直交座標系を、まずＸ軸の回りで反時計回りにα回転させ、次に、その回転した面の中心軸を新たな座標系のＹ軸の回りで反時計回りにβ回転させると共に１度回転した座標系もＹ軸の回りで反時計回りにβ回転させ、次いで、その２度回転した面の中心軸を新たな座標系の新たな座標系のＺ軸の回りで時計回りにγ回転させるものである。
【００５６】
また、本発明で用いられる非球面は、以下の定義式で与えられる回転対称非球面である。
【００５７】
Ｚ＝（Ｙ2 ／Ｒ）／［１＋｛１−（１＋Ｋ）Ｙ2 ／Ｒ2 ｝1 /2］
＋ＡＹ4 ＋ＢＹ6 ＋ＣＹ8 ＋ＤＹ10＋……                                                                          ・・・（ａ）
ただし、Ｚを光の進行方向を正とした光軸（軸上主光線）とし、Ｙを光軸と垂直な方向にとる。ここで、Ｒは近軸曲率半径、Ｋは円錐定数、Ａ、Ｂ、Ｃ、Ｄ、…はそれぞれ４次、６次、８次、１０次の非球面係数である。この定義式のＺ軸が回転対称非球面の軸となる。
【００５８】
なお、データの記載されていない非球面に関する項は０である。屈折率については、ｄ線（波長５８７．５６ｎｍ）に対するものを表記してある。長さの単位はｍｍである。
【００５９】
以下に、上記実施例１の構成パラメータを示す。なお、以下の表中の“ＡＳＳ”は非球面、“ＦＬ”はフレネル面、“ＲＥ”は反射面、“ＨＯＥ”は透過型ホログラム、“ＰＩＭ”は画像投影面をそれぞれ示す。
【００６０】
実施例１
面番号    曲率半径              面間隔    偏心      屈折率    アッベ数
物体面        ∞                                  
1      ＨＯＥ                          偏心(1)   1.4924      57.6
2          ∞（ＰＩＭ）                偏心(1)   1.4924      57.6
3      ＡＳＳ(1) （ＲＥ，ＦＬ）        偏心(2)   1.4924      57.6
4          ∞                          偏心(1) 
像  面        ∞                          偏心(3) 
ＡＳＳ(1) 
Ｒ   -407.45
Ｋ     -5.8103×10
Ａ     -7.5130×10-7
Ｂ      7.5802×10-12 
Ｃ     -3.1478×10-17 
偏心(1) 
Ｘ    0.00  Ｙ    0.00  Ｚ  650.00  
α   25.00  β    0.00  γ    0.00  
偏心(2) 
Ｘ    ＭＸ  Ｙ    ＭＹ  Ｚ  577.79  
α   25.00  β    0.00  γ    0.00  
偏心(3) 
Ｘ    ＰＸ  Ｙ -190.18  Ｚ  242.16  
α   25.00  β    0.00  γ    0.00                                  。
【００６１】
さて、このような本発明の投影スクリーンと投影型表示装置は、図１４に示すように、例えば手術用立体観察システムに用いることができる。図１４は、この手術用立体観察システムの１実施例を示す説明図であり、本実施例の製品は、キャスター１０５ａ付き支持部本体１０５に、自在アーム１１０が接続されている。そして、自在アーム１１０を介して、支持アーム１０４が取り付けられている。この支持アーム１０４は、３次元方向に移動自在で、３６０°回転自在になっている。また、その支持アーム１０４には、連結部１０４ｄを介して保持部材１０３が取り付けられている。この保持部材１０３も、移動自在、回転自在になっている。そして、保持部材１０３には、投影装置１０と本発明のスクリーン１とが取り付けられている。
【００６２】
一方、支持アーム１０４先端には、手術用顕微鏡の画像入力部１０９が取り付けられている。画像入力部１０９にはカメラが内蔵され、患者Ｐの患部を撮影する。撮影された画像は、入力画像として投影型表示装置に送られる。より詳しくは、投影装置１０に送られるように構成されている。
【００６３】
このように構成することで、図１４の装置では、手術用顕微鏡で患者Ｐの患部の映像を両眼ＥＬ、ＥＲで観察しながら手術を行うことができるようになっている。
【００６４】
また、本発明の投影スクリーンと投影型表示装置は、パソコン、電話、特に持ち運びに便利な携帯電話等の情報処理装置に用いることができる。そのような投影型表示装置としての例を図１５に示す。図１５は携帯電話の例である。
【００６５】
この携帯電話１３８には、マイク部１３９と、スピーカ部１４０と、アンテナ１４１と、１４２と、本発明の投影観察装置とが設けられている。ここで、マイク部１３９は、操作者の声を情報として入力する。スピーカ部１４０は、通話相手の声を出力する。アンテナ１４１は、通信電波の送信と受信を行う。操作ボタン１４２は、操作者が情報を入力するのに使われる。
【００６６】
本発明の投影スクリーンと投影型表示装置は、操作者自身や通話相手等の撮影像と、電話番号等の情報を投影表示するために用いられる。ここでは、投影装置１０と本発明のスクリーン１を設けて、その拡大射出瞳２０Ｌ’、２０Ｒ’の位置でその表示映像を無理なく両眼で観察できるようにしている。
【００６７】
また、本発明の投影スクリーンと投影型表示装置は、以上のような携帯型の使用形態に限らず、図１７に示すような手持ちビュワータイプの形態にも適用可能であり、この構成の場合、投影型表示装置の本体６０に折り畳み可能に設けた投影装置１０の支持部材６１を、本体６０に設けた本発明の投影スクリーン１の保護カバーの役目を兼用するようにすることにより、携帯時の防塵性を向上させることが可能となる。
【００６８】
以上、本発明の投影スクリーン及び投影型表示装置を実施例に基づいて説明してきたが、本発明はこれら実施例に限定されず種々の変形が可能である。
【００６９】
本発明の投影スクリーン及び投影型表示装置は例えば次のように構成することができる。
【００７０】
〔１〕  複数のフレネル凹面鏡が相互に偏心して同一基板上に重畳して設けられてなることを特徴とする投影スクリーン。
【００７１】
〔２〕  複数のフレネル凸レンズが相互に偏心して同一基板上に重畳して設けられその背面に反射鏡が配置されてなることを特徴とする投影スクリーン。
【００７２】
〔３〕  複数のフレネル凸レンズが相互に偏心して同一基板上に重畳して設けられてなることを特徴とする投影スクリーン。
【００７３】
〔４〕  前記複数のフレネル凹面鏡又はフレネル凸レンズは基板に設けられた角錐状の突起群又は穿孔群からなり、前記突起群又は穿孔群を構成する突起又は穿孔の少なくとも一部は、少なくとも２つの光学作用面と少なくとも２つの光学非作用面とからなる角錐状の突起又は穿孔からなることを特徴とする上記１から３の何れか１項記載の投影スクリーン。
【００７４】
〔５〕  前記投影スクリーンの投影光入射側あるいは反射側に拡散板が配置されていることを特徴とする上記１から４の何れか１項記載の投影スクリーン。
【００７５】
〔６〕  前記拡散板が透過型ホログラムからなる拡散板であることを特徴とする上記５記載の投影スクリーン。
【００７６】
〔７〕  前記拡散板が拡散特性に指向性のある微細な凹凸面又は粗面からなる拡散板であることを特徴とする上記５記載の投影スクリーン。
【００７７】
〔８〕  前記拡散板の拡散角は、半値全幅で２０°以下であることを特徴とする上記５から７の何れか１項記載の投影スクリーン。
【００７８】
〔９〕  前記透過型ホログラムの１回目及び２回目透過時に回折されてない０次光が前記複数のフレネル凹面鏡又は複数のフレネル凸レンズで結像され前記透過型ホログラムで拡大された拡大射出瞳に入射しないように構成されていることを特徴とする上記６記載の投影スクリーン。
【００７９】
〔１０〕  前記拡大射出瞳の位置で、前記透過型ホログラムの１回目及び２回目透過時に回折されてない０次光がその拡大射出瞳の中心からその瞳径の２分の１以上離れて入射するように構成されていることを特徴とする上記９記載の投影スクリーン。
【００８０】
〔１１〕  前記透過型ホログラムからなる拡散板が、回折による屈曲作用を有することを特徴とする上記６、９、１０の何れか１項記載の投影スクリーン。
【００８１】
〔１２〕  前記透過型ホログラムからなる拡散板によるｄ線の光軸の屈曲角をγとするとき、
γ＞１°                                                      ・・・（１）
の条件を満足することを特徴とする上記１１記載の投影スクリーン。
【００８２】
〔１３〕  前記透過型ホログラムからなる拡散板によるｄ線の光軸の屈曲角をγとするとき、
γ＜４５°                                                    ・・・（２）
の条件を満足することを特徴とする上記１１記載の投影スクリーン。
【００８３】
〔１４〕  前記透過型ホログラムからなる拡散板によるｄ線の光軸の屈曲角をγとするとき、
１０°＜γ＜２０°                                            ・・・（３）
なる条件を満足することを特徴とする上記１１記載の投影スクリーン。
【００８４】
〔１５〕  前記透過型ホログラムからなる拡散板による波長７００ｎｍの光と波長４００ｎｍの光の間の光軸の回折角の差が１８°以下であることを特徴とする上記６、９〜１４の何れか１項記載の投影スクリーン。
【００８５】
〔１６〕  前記拡大射出瞳の位置で、波長７００ｎｍの光軸と波長４００ｎｍの光軸の入射位置の差が射出瞳の瞳径の２分の１以下であることを特徴とする上記９〜１５の何れか１項記載の投影スクリーン。
【００８６】
〔１７〕  前記フレネル凹面鏡の鏡面へのｄ線の光軸の入射角をβとするとき、
０°＜β＜４５°                                              ・・・（４）
の関係を満たすことを特徴とする上記６、９、１０の何れか１項記載の投影スクリーン。
【００８７】
〔１８〕  前記フレネル凹面鏡の鏡面へのｄ線の光軸の入射角をβとするとき、
５°＜β＜２０°                                          ・・・（４−１）
の関係を満たすことを特徴とする上記６、９、１０の何れか１項記載の投影スクリーン。
【００８８】
〔１９〕  前記透過型ホログラムからなる拡散板によるｄ線の光軸の屈曲角をγ、前記フレネル凹面鏡の鏡面へのｄ線の光軸の入射角をβとするとき、
０．０１＜γ／β＜１０００                                    ・・・（５）
の関係を満たすことを特徴とする上記６、９〜１８の何れか１項記載の投影スクリーン。
【００８９】
〔２０〕  前記透過型ホログラムからなる拡散板によるｄ線の光軸の屈曲角をγ、前記フレネル凹面鏡の鏡面へのｄ線の光軸の入射角をβとするとき、
０．５＜γ／β＜２                                        ・・・（５−１）
の関係を満たすことを特徴とする上記６、９〜１８の何れか１項記載の投影スクリーン。
【００９０】
〔２１〕  映像を表示する表示素子と、前記表示素子に表示された映像を拡大投影する投影光学系と、前記投影光学系により投影された投影像近傍に配置された投影スクリーンとからなる投影型表示装置において、
前記投影スクリーンが上記１から２０の何れか１項記載の投影スクリーンからなることを特徴とする投影型表示装置。
【００９１】
〔２２〕  前記投影光学系はアオリ像の像歪みを補正する機能を持ったものであることを特徴とする上記２１記載の投影型表示装置。
【００９２】
〔２３〕  照明光源としてＬＥＤ又はＬＤを用いたことを特徴とする上記２１又は２２記載の投影型表示装置。
【図面の簡単な説明】
【００９３】
【図１】本発明の投影型表示装置と投影スクリーンの概念を示す斜視図である。
【図２】本発明の図１の水平方向の光路図である。
【図３】フレネル凹面鏡又はフレネル凸レンズを構成する基板の表面にバイトを用いて第１のフレネル凹面鏡又はフレネル凸レンズの作用面と非作用面とからなる溝（畝）を刻んでいく様子を示す図である。
【図４】第１のフレネル凹面鏡又はフレネル凸レンズの溝（畝）を刻んだ後に第２のフレネル凹面鏡又はフレネル凸レンズの同様の溝（畝）を刻んでいく様子を示す図である。
【図５】図３と図４のプロセスを経て得られた基板表面の面形状を示す斜視図と平面図である。
【図６】透過型ホログラムからなる拡散板を用いた場合の投影型表示装置の光学系の概念図とその投影型表示装置の配置例を示す図である。
【図７】１回目の通過で屈曲される透過型ホログラムからなる拡散板とフレネル凹面鏡の組み合わせの光路図である。
【図８】２回目の通過で屈曲される透過型ホログラムからなる拡散板とフレネル凹面鏡の組み合わせの光路図である。
【図９】フレネル凹面鏡が偏心している場合の１回目の通過で屈曲される透過型ホログラムからなる拡散板とフレネル凹面鏡の組み合わせの光路図である。
【図１０】本発明の実施例１のＸ−Ｚ面への投影光路図である。
【図１１】本発明の実施例１のＹ−Ｚ面への投影光路図である。
【図１２】本発明の実施例１の拡散板に用いる透過型ホログラムの撮影配置を示す図である。
【図１３】本発明の実施例１の射出瞳位置でのＲＧＢの射出瞳像の重なり具合と０次光及び表面反射光の入射位置を示す図である。
【図１４】本発明の投影スクリーンと投影型表示装置を用いた手術用立体観察システムの例を示す図である。
【図１５】本発明の投影型表示装置である携帯電話の例を示す図である。
【図１６】本発明の投影型表示装置である手持ちビュワータイプの例を示す図である。
【符号の説明】
【００９４】
Ｍ…観察者
Ｐ…患者
ＥＬ、ＥＲ…観察者眼球
ＯＬ、ＯＲ…フレネル凹面鏡の中心
Ａ、Ｂ…作用面
Ａ’、Ｂ’…非作用面
１…投影スクリーン
２、２Ｌ、２Ｒ…フレネル凹面鏡
３…拡散板
３’…透過型ホログラムからなる拡散板
１０…投影装置
１１…投影光学系
１３…入射瞳
１６…投影光学系からの軸上主光線
１７0 …０次光
１７1 …拡散光中の主光線（中心光線）
１７R 、１７G 、１７B …透過型ホログラムからなる拡散板で回折して屈曲されたＲ、Ｇ、Ｂの波長の主光線（中心光線）
２０、２０Ｌ、２０Ｒ…射出瞳
２０’、２０Ｌ’、２０Ｒ’…拡大射出瞳
３０、３０Ｌ、３０Ｒ…軸上主光線
５０…フレネル凹面鏡、フレネル凸レンズを構成する基板
５１…バイト
６０…投影型表示装置の本体
６１…支持部材
１０３…保持部材
１０４…支持アーム
１０４ｄ…連結部
１０５…支持部本体
１０５ａ…キャスター
１０９…画像入力部
１１０…自在アーム
１３８…携帯電話
１３９…マイク部
１４０…スピーカ部
１４１…アンテナ
１４２…操作ボタン
【図１】
2005062312.tif 000003
【図２】
2005062312.tif 000004
【図３】
2005062312.tif 000005
【図４】
2005062312.tif 000006
【図５】
2005062312.tif 000007
【図６】
2005062312.tif 000008
【図７】
2005062312.tif 000009
【図８】
2005062312.tif 000010
【図９】
2005062312.tif 000011
【図１０】
2005062312.tif 000012
【図１１】
2005062312.tif 000013
【図１２】
2005062312.tif 000014
【図１３】
2005062312.tif 000015
【図１４】
2005062312.tif 000016
【図１５】
2005062312.tif 000017
【図１６】
2005062312.tif 000018